(57)【要約】【課題】  物流における作業者の負担を低減することができる物流支援システム及び物流支援方法を提供する。【解決手段】  本発明に係る物流支援システムは、複数の商品の物流を支援するための物流支援システムであって、第１記憶部１７と第２記憶部１８と第３記憶部１９と第１作成部１４とを備える。第１記憶部１７は、生産情報を記憶する。生産情報は、各商品の生産に関する情報である。第２記憶部１８は、仕分け情報を記憶する。仕分け情報は、各商品の仕分けに関する情報である。第３記憶部１９は、配送情報を記憶する。配送情報は、各商品の配送に関する情報である。第１作成部１４は、生産情報と仕分け情報と配送情報とに基づいて、第１指示情報を作成する。第１指示情報は、各商品の仕分け及び配送の指示に関する情報である。【選択図】      図１
2006168935.tif 000002
【特許請求の範囲】
【請求項１】
複数の商品の物流を支援するための物流支援システム（１）であって、
各前記商品の生産に関する情報である生産情報を記憶する第１記憶部（１７）と、
各前記商品の仕分けに関する情報である仕分け情報を記憶する第２記憶部（１８）と、
各前記商品の配送に関する情報である配送情報を記憶する第３記憶部（１９）と、
前記生産情報と前記仕分け情報と前記配送情報とに基づいて、各前記商品の仕分け及び配送の指示に関する情報である第１指示情報を作成する第１作成部（１４）と、
を備えた、
物流支援システム（１）。
【請求項２】
各前記商品が仕分けされる単位である仕分け単位に添付されるための部材である第１指示部材へ前記第１指示情報を出力する第１出力部（２１）をさらに備えた、
請求項１に記載の物流支援システム（１）。
【請求項３】
前記複数の商品の生産計画に基づいて、前記生産情報が入力される第１入力部（１１）をさらに備えた、
請求項１又は２に記載の物流支援システム（１）。
【請求項４】
前記複数の商品の生産計画に基づいて、前記仕分け情報が入力される第２入力部（１２）と、
前記複数の商品の生産計画に基づいて、前記配送情報が入力される第３入力部（１３）と、
をさらに備えた、
請求項２に記載の物流支援システム（１）。
【請求項５】
前記生産情報は、機種名、商品名及び生産台数の少なくとも１つに関する情報であり、
前記仕分け情報は、仕分けの単位となる台数、生産された前記商品の受け入れ場所、仕分け経路及び仕分け先の場所の少なくとも１つに関する情報であり、
前記配送情報は、前記商品が輸送されるための手段である輸送手段が待機する場所、前記輸送手段が待機を開始する時刻、前記輸送手段を識別するための情報、前記輸送手段に前記商品を積み込むための場所、前記輸送手段に前記商品が積み込まれる時刻、前記輸送手段により前記商品が輸送される時刻、前記輸送手段により前記商品が輸送される輸送先を識別するための情報及び前記輸送先において前記商品が保管される場所の少なくとも１つに関する情報である、
請求項１から４のいずれか１項に記載の物流支援システム（１）。
【請求項６】
少なくとも前記生産情報に基づいて、各前記商品の生産の指示に関する情報である第２指示情報を作成する第２作成部（１５）と、
各前記商品に添付されるための部材である第２指示部材へ前記第２指示情報を出力する第２出力部（２２）と、
をさらに備えた、
請求項２に記載の物流支援システム（１）。
【請求項７】
前記第１指示部材は、ラベル及び電子タグのいずれか一方であり、
前記第２指示部材は、ラベル及び電子タグのいずれか一方である、
請求項６に記載の物流支援システム（１）。
【請求項８】
複数の商品の物流が支援されるための物流支援方法であって、
前記複数の商品の生産計画に基づいて、各前記商品の生産に関する情報である生産情報が入力される第１ステップと、
前記複数の商品の生産計画に基づいて、各前記商品の仕分けに関する情報である仕分け情報が入力される第２ステップと、
前記複数の商品の生産計画に基づいて、各前記商品の配送に関する情報である配送情報が入力される第３ステップと、
前記生産情報と前記仕分け情報と前記配送情報とに基づいて、各前記商品の仕分け及び配送の指示に関する情報である第１指示情報が作成される第４ステップと、
各前記商品が仕分けされる単位である仕分け単位に添付するための部材である第１指示部材へ前記第１指示情報が出力される第５ステップと、
を備えた、
物流支援方法。
【発明の詳細な説明】
【技術分野】
【０００１】
本発明は、物流支援システム及び物流支援方法に関する。
【背景技術】
【０００２】
従来から、複数の商品の物流を支援するためのシステムが提案されている（例えば、特許文献１参照）。例えば、特許文献１に記載のシステムでは、複数の商品の物流における各拠点がインターネットにより管理センターに接続されている。
【特許文献１】特開２００３−１７１０２０（第１−１９頁、第１−５図）
【発明の開示】
【発明が解決しようとする課題】
【０００３】
従来の技術では、複数の商品の物流における各拠点がインターネットにより管理センターに接続されているので、複数の商品の物流を管理センターから管理する負担を低減することができる。
しかし、従来の技術では、管理センターからインターネット経由で送信されてきた情報と各商品との関連を作業者が確認する必要があり、物流の各工程において作業者に負担をかけるおそれがある。このため、物流において作業者の負担が増大する傾向にある。
【０００４】
そこで、本発明の課題は、物流における作業者の負担を低減することができる物流支援システム及び物流支援方法を提供することにある。
【課題を解決するための手段】
【０００５】
第１発明に係る物流支援システムは、複数の商品の物流を支援するための物流支援システムであって、第１記憶部と第２記憶部と第３記憶部と第１作成部とを備える。第１記憶部は、生産情報を記憶する。生産情報は、各商品の生産に関する情報である。第２記憶部は、仕分け情報を記憶する。仕分け情報は、各商品の仕分けに関する情報である。第３記憶部は、配送情報を記憶する。配送情報は、各商品の配送に関する情報である。第１作成部は、生産情報と仕分け情報と配送情報とに基づいて、第１指示情報を作成する。第１指示情報は、各商品の仕分け及び配送の指示に関する情報である。
【０００６】
この物流支援システムでは、第１記憶部が、生産情報を記憶する。第２記憶部が、仕分け情報を記憶する。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。
したがって、生産情報と仕分け情報と配送情報とに基づいて第１指示情報を作成するので、生産情報と仕分け情報と配送情報とを商品に対して直接関連づけることができる。このため、仕分け及び配送の各工程における作業者の負担を低減することができる。この結果、物流における作業者の負担を低減することができる。
【０００７】
第２発明に係る物流支援システムは、第１発明の物流支援システムであって、第１出力部をさらに備える。第１出力部は、第１指示部材へ第１指示情報を出力する。第１指示部材は、仕分け単位に添付されるための部材である。仕分け単位は、各商品が仕分けされる単位である。
この物流支援システムでは、第１記憶部が、生産情報を記憶する。第２記憶部が、仕分け情報を記憶する。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。第１出力部が、第１指示情報を受け取ることができる。第１出力部が、第１指示部材へ第１指示情報を出力する。
【０００８】
したがって、第１指示部材へ第１指示情報を出力するので、第１指示部材を仕分け単位に添付することができる。このため、生産情報と仕分け情報と配送情報とがどの仕分け単位に対応しているかを作業者が容易に把握できるようにすることができる。
第３発明に係る物流支援システムは、第１発明又は第２発明の物流支援システムであって、第１入力部をさらに備える。第１入力部には、複数の商品の生産計画に基づいて、生産情報が入力される。
【０００９】
この物流支援システムでは、第１入力部に、複数の商品の生産計画に基づいて、生産情報が入力される。第１記憶部が、生産情報を受け取ることができる。第１記憶部が、生産情報を記憶する。第２記憶部が、仕分け情報を記憶する。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。
【００１０】
したがって、複数の商品の生産計画に基づいて生産情報が入力されるので、生産情報を介して生産計画を商品に対して関連づけることができる。このため、仕分け及び配送の各工程において作業者が生産計画と商品との照合を行う負担を低減することができる。
第４発明に係る物流支援システムは、第２発明の物流支援システムであって、第２入力部と第３入力部とをさらに備える。第２入力部には、複数の商品の生産計画に基づいて、仕分け情報が入力される。第３入力部には、複数の商品の生産計画に基づいて、配送情報が入力される。
【００１１】
この物流支援システムでは、第１記憶部が、生産情報を記憶する。第２入力部に、複数の商品の生産計画に基づいて、仕分け情報が入力される。第２記憶部が、仕分け情報を受け取ることができる。第２記憶部が、仕分け情報を記憶する。第３入力部に、複数の商品の生産計画に基づいて、配送情報が入力される。第３記憶部が、配送情報を受け取ることができる。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。第１出力部が、第１指示情報を受け取ることができる。第１出力部が、第１指示部材へ第１指示情報を出力する。
【００１２】
したがって、複数の商品の生産計画に基づいて仕分け情報が入力され、複数の商品の生産計画に基づいて配送情報が入力されるので、生産が行われる前に第１指示部材へ第１指示情報を出力することができる。このため、生産から配送完了までの期間を短くすることができる。
第５発明に係る物流支援システムは、第１発明から第４発明のいずれかの物流支援システムであって、生産情報は、機種名、商品名及び生産台数の少なくとも１つに関する情報である。仕分け情報は、仕分けの単位となる台数、生産された商品の受け入れ場所、仕分け経路及び仕分け先の場所の少なくとも１つに関する情報である。配送情報は、輸送手段が待機する場所、輸送手段が待機を開始する時刻、輸送手段を識別するための情報、輸送手段に商品を積み込むための場所、輸送手段に商品が積み込まれる時刻、輸送手段により商品が輸送される時刻、輸送先を識別するための情報及び輸送先において商品が保管される場所の少なくとも１つに関する情報である。輸送手段は、商品が輸送されるための手段である。輸送先には、輸送手段により商品が輸送される。
【００１３】
この物流支援システムでは、第１記憶部が、生産情報を記憶する。生産情報が、機種名、商品名及び生産台数の少なくとも１つに関する情報である。第２記憶部が、仕分け情報を記憶する。仕分け情報が、仕分けの単位となる台数、生産された商品の受け入れ場所、仕分け経路及び仕分け先の場所の少なくとも１つに関する情報である。第３記憶部が、配送情報を記憶する。配送情報が、輸送手段が待機する場所、輸送手段が待機を開始する時刻、輸送手段を識別するための情報、輸送手段に商品を積み込むための場所、輸送手段に商品が積み込まれる時刻、輸送手段により商品が輸送される時刻、輸送先を識別するための情報及び輸送先において商品が保管される場所の少なくとも１つに関する情報である。第１作成部が、生産情報と仕分け情報と配送情報とを受け取ることができる。第１作成部が、生産情報と仕分け情報と配送情報とに基づいて、第１指示情報を作成する。
【００１４】
したがって、生産情報、仕分け情報及び配送情報を詳細な情報とすることができるので、詳細な情報に基づいて第１指示情報を作成することができる。
第６発明に係る物流支援システムは、第２発明の物流支援システムであって、第２作成部と第２出力部とをさらに備える。第２作成部は、少なくとも生産情報に基づいて、第２指示情報を作成する。第２指示情報は、各商品の生産の指示に関する情報である。第２出力部は、第２指示部材へ第２指示情報を出力する。第２指示部材は、各商品に添付されるための部材である。
【００１５】
この物流支援システムでは、第１記憶部が、生産情報を記憶する。第２記憶部が、仕分け情報を記憶する。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。第１出力部が、第１指示情報を受け取ることができる。第１出力部が、第１指示部材へ第１指示情報を出力する。第２作成部が、生産情報を受け取ることができる。第２作成部が、少なくとも生産情報に基づいて、第２指示情報を作成する。第２出力部が、第２指示情報を受け取ることができる。第２出力部が、第２指示部材へ第２指示情報を出力する。
【００１６】
したがって、第２指示部材へ第２指示情報を出力するので、第２指示部材を商品に添付することができる。このため、第２指示部材において生産情報に対応した情報と第１指示部材において生産情報に対応した情報とを対比することができるので、商品をどの仕分け単位にまとめるのかを作業者が容易に把握できるようにすることができる。
第７発明に係る物流支援システムは、第６発明の物流支援システムであって、第１指示部材は、ラベル及び電子タグのいずれか一方である。第２指示部材は、ラベル及び電子タグのいずれか一方である。
【００１７】
この物流支援システムでは、第１記憶部が、生産情報を記憶する。第２記憶部が、仕分け情報を記憶する。第３記憶部が、配送情報を記憶する。第１作成部が、生産情報と仕分け情報と配送情報とを受け取ることができる。第１作成部が、生産情報と仕分け情報と配送情報とに基づいて、第１指示情報を作成する。第１出力部が、第１指示情報を受け取ることができる。第１出力部が、第１指示部材へ第１指示情報を出力する。第１指示部材が、ラベル及び電子タグのいずれか一方である。第２作成部が、生産情報を受け取ることができる。第２作成部が、生産情報に基づいて、第２指示情報を作成する。第２出力部が、第２指示情報を受け取ることができる。第２出力部が、第２指示部材へ第２指示情報を出力する。第２指示部材が、ラベル及び電子タグのいずれか一方である。
【００１８】
したがって、第１指示部材がラベル及び電子タグのいずれか一方であり、第２指示部材がラベル及び電子タグのいずれか一方であるので、第１指示部材及び第２指示部材を既存の技術を用いて構成することができる。
第８発明に係る物流支援方法は、複数の商品の物流が支援されるための物流支援方法であって、第１ステップと第２ステップと第３ステップと第４ステップと第５ステップとを備える。第１ステップでは、複数の商品の生産計画に基づいて、生産情報が入力される。生産情報は、各商品の生産に関する情報である。第２ステップでは、複数の商品の生産計画に基づいて、仕分け情報が入力される。仕分け情報は、各商品の仕分けに関する情報である。第３ステップでは、複数の商品の生産計画に基づいて、配送情報が入力される。配送情報は、各商品の配送に関する情報である。第４ステップでは、生産情報と仕分け情報と配送情報とに基づいて、第１指示情報が作成される。第１指示情報は、各商品の仕分け及び配送の指示に関する情報である。第５ステップでは、第１指示部材へ第１指示情報が出力される。第１指示部材は、仕分け単位に添付するための部材である。仕分け単位は、各商品が仕分けされる単位である。
【００１９】
この物流支援方法では、第１ステップにおいて、複数の商品の生産計画に基づいて、生産情報が入力される。第２ステップにおいて、複数の商品の生産計画に基づいて、仕分け情報が入力される。第３ステップにおいて、複数の商品の生産計画に基づいて、配送情報が入力される。第４ステップにおいて、生産情報と仕分け情報と配送情報とが受け取られ得る。第４ステップにおいて、生産情報と仕分け情報と配送情報とに基づいて、第１指示情報が作成される。第５ステップにおいて、第１指示情報が受け取られ得る。第５ステップにおいて、第１指示部材へ第１指示情報が出力される。
【００２０】
したがって、生産情報と仕分け情報と配送情報とに基づいて第１指示情報が作成され、第１指示部材へ第１指示情報が出力されるので、第１指示部材を仕分け単位に添付することができる。このため、生産情報と仕分け情報と配送情報とを商品に対して直接関連づけることができるので、仕分け及び配送の各工程における作業者の負担を低減することができる。この結果、物流における作業者の負担を低減することができる。
【発明の効果】
【００２１】
第１発明に係る物流支援システムでは、生産情報と仕分け情報と配送情報とに基づいて第１指示情報を作成するので、生産情報と仕分け情報と配送情報とを商品に対して直接関連づけることができる。このため、仕分け及び配送の各工程における作業者の負担を低減することができる。この結果、物流における作業者の負担を低減することができる。
第２発明に係る物流支援システムでは、第１指示部材へ第１指示情報を出力するので、第１指示部材を仕分け単位に添付することができる。このため、生産情報と仕分け情報と配送情報とがどの仕分け単位に対応しているかを作業者が容易に把握できるようにすることができる。
【００２２】
第３発明に係る物流支援システムでは、複数の商品の生産計画に基づいて生産情報が入力されるので、生産情報を介して生産計画を商品に対して関連づけることができる。このため、仕分け及び配送の各工程において作業者が生産計画と商品との照合を行う負担を低減することができる。
第４発明に係る物流支援システムでは、複数の商品の生産計画に基づいて仕分け情報が入力され、複数の商品の生産計画に基づいて配送情報が入力されるので、生産が行われる前に第１指示部材へ第１指示情報を出力することができる。このため、生産から配送完了までの期間を短くすることができる。
【００２３】
第５発明に係る物流支援システムでは、生産情報、仕分け情報及び配送情報を詳細な情報とすることができるので、詳細な情報に基づいて第１指示情報を作成することができる。
第６発明に係る物流支援システムでは、第２指示部材へ第２指示情報を出力するので、第２指示部材を商品に添付することができる。このため、第２指示部材において生産情報に対応した情報と第１指示部材において生産情報に対応した情報とを対比することができるので、商品をどの仕分け単位にまとめるのかを作業者が容易に把握できるようにすることができる。
【００２４】
第７発明に係る物流支援システムでは、第１指示部材がラベル及び電子タグのいずれか一方であり、第２指示部材がラベル及び電子タグのいずれか一方であるので、第１指示部材及び第２指示部材を既存の技術を用いて構成することができる。
第８発明に係る物流支援方法では、生産情報と仕分け情報と配送情報とに基づいて第１指示情報が作成され、第１指示部材へ第１指示情報が出力されるので、第１指示部材を仕分け単位に添付することができる。このため、生産情報と仕分け情報と配送情報とを商品に対して直接関連づけることができるので、仕分け及び配送の各工程における作業者の負担を低減することができる。この結果、物流における作業者の負担を低減することができる。
【発明を実施するための最良の形態】
【００２５】
本発明の第１実施形態に係る物流支援システム１の概念図を図１に示す。また、その構成要素の構成図を図２に示す。ここに示す物流支援システム１は複数の商品の物流を支援するためのシステムである。
＜物流支援システム１の全体構成＞
この物流支援システム１は、主として、物流支援装置１０，生産指示書群３０（３０ａ，３０ｂ，・・・），荷役作業指示書群４０（４０ａ，４０ｂ，・・・），商品包装群６０（６０ａａ，６０ａｂ，・・・）及び仕分け単位包装群７０（７０ａ，７０ｂ，・・・）を備える。
【００２６】
生産指示書群３０（３０ａ，３０ｂ，・・・）と荷役作業指示書群４０（４０ａ，４０ｂ，・・・）とは、物流支援装置１０から出力される。生産指示書群３０（３０ａ，３０ｂ，・・・）は、商品包装群６０（６０ａａ，６０ａｂ，・・・）に貼り付けられる。荷役作業指示書群４０（４０ａ，４０ｂ，・・・）は、仕分け単位包装群７０（７０ａ，７０ｂ，・・・）に貼り付けられる。商品包装群６０（６０ａａ，６０ａｂ，・・・）は、仕分け単位包装群７０（７０ａ，７０ｂ，・・・）に梱包される。
【００２７】
＜物流支援装置１０の構成＞
図１に示す物流支援装置１０は、主として、第１入力部１１，第２入力部１２，第３入力部１３，第１作成部１４，第２作成部１５，制御部１６，第１記憶部１７，第２記憶部１８，第３記憶部１９，第１出力部２１及び第２出力部２２を備える。
第１入力部１１に、複数の商品の生産計画に基づいて、生産情報が入力される。ここで、生産情報は、各商品の生産に関する情報であり、機種名及び生産台数に関する情報である。第１記憶部１７が、生産情報を制御部１６経由で第１入力部１１から受け取る。第１記憶部１７が、生産情報を記憶する。
【００２８】
第２入力部１２に、複数の商品の生産計画に基づいて、仕分け情報が入力される。ここで、仕分け情報は、各商品の仕分けに関する情報であり、仕分けの単位となる台数、生産された商品の受け入れ場所、仕分け経路及び仕分け先の場所に関する情報である。第２記憶部１８が、仕分け情報を制御部１６経由で第２入力部１２から受け取る。第２記憶部１８が、仕分け情報を記憶する。
【００２９】
第３入力部１３に、複数の商品の生産計画に基づいて、配送情報が入力される。ここで、配送情報は、各商品の配送に関する情報であり、トラックが待機する場所、トラックが待機を開始する時刻、トラックを識別するための情報、トラックに商品を積み込むための場所、トラックに商品が積み込まれる時刻、トラックにより商品が輸送される時刻、配送先を識別するための情報及び配送先において商品が保管される場所に関する情報である。第３記憶部１９が、配送情報を制御部１６経由で第３入力部１３から受け取る。第３記憶部１９が、配送情報を記憶する。
【００３０】
第２作成部１５が、生産情報を制御部１６経由で第１記憶部１７から受け取り、仕分け情報を制御部１６経由で第２記憶部１８から受け取り、配送情報を制御部１６経由で第３記憶部１９から受け取る。第２作成部１５が、生産情報と仕分け情報と配送情報とに基づいて、第２指示情報を作成する。ここで、第２指示情報は、各商品の生産の指示に関する情報である。第２出力部２２が、第２指示情報を制御部１６経由で第２作成部１５から受け取る。第２出力部２２が、生産指示書３０ａ，３０ｂ，・・・（以下、３０ａ等とする）へ第２指示情報を出力する。生産指示書３０ａ等は、各商品に添付されるための部材である。
【００３１】
第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。ここで、第１指示情報は、各商品の仕分け及び配送の指示に関する情報である。第１出力部２１が、第１指示情報を制御部１６経由で第１作成部１４から受け取る。第１出力部２１が、荷役作業指示書４０ａ，４０ｂ，・・・（以下、４０ａ等とする）へ第１指示情報を出力する。荷役作業指示書４０ａ等は、仕分け単位に添付されるための部材である。仕分け単位は、各商品が仕分けされる単位である。
【００３２】
＜生産指示書群３０（３０ａ，３０ｂ，・・・）の構成＞
図１に示す生産指示書３０ａは、図７に示すように、主として、機種名３１，配送先識別情報３２及び倉庫格納場所３４を備える。
機種名３１は、商品包装６０ａ，６０ｂ，・・・（以下、６０ａ等とする）に包装された商品の種類を識別するための情報である。配送先識別情報３２は、商品の生産完了後に商品が配送される場所を示す情報である。倉庫格納場所３４は、商品の運送後に商品が格納される場所を示す情報である。
【００３３】
機種名３１を参照することにより、商品包装６０ａ等に包装された商品がどの仕分け単位（機種別仕分けの単位）に対応しているのかが分かる。配送先識別情報３２を参照することにより、商品包装６０ａ等に包装された商品が生産完了後にどこに配送されるべきかが分かる。倉庫格納場所３４を参照することにより、商品包装６０ａ等に包装された商品が運送後にどこに格納されるべきかが分かる。
【００３４】
他の生産指示書３０ｂ，・・・も、生産指示書３０ａと同様である。
＜荷役作業指示書群４０（４０ａ，４０ｂ，・・・）の構成＞
図１に示す荷役作業指示書４０ａは、図６に示すように、主として、機種名４１，台数４２，倉庫格納場所４３，受け入れ場所４４，仕分けレーン４５，荷揃場所４６，積込バース４７，積込品置場４８，号車番号４９，入場時刻５１，出発時刻５２，配送先５３及び倉庫格納番地５４を備える。
【００３５】
機種名４１は、仕分け単位包装７０ａ，７０ｂ，・・・（以下、７０ａ等とする）に包装された仕分け単位に含まれる商品の種類を識別するための情報である。台数４２は、仕分け単位に含まれる商品の数の情報である。倉庫格納場所４３は、仕分け単位（に含まれる商品）の運送後に、仕分け単位に含まれる商品が格納される場所を示す情報である。受け入れ場所４４は、商品の生産完了後に、仕分け単位に含まれるべき商品が受け入れられる場所を示す情報である。仕分けレーン４５は、受け入れられた商品が仕分けされるレーンを識別するための情報である。荷揃場所４６は、商品の仕分け後に、仕分け単位が置かれる場所を示す情報である。積込バース４７は、仕分け単位（に含まれる商品）の積込のためにトラックが停車すべき場所を示す情報である。積込品置場４８は、仕分け単位（に含まれる商品）の積込のために仕分け単位が置かれる場所を示す情報である。号車番号４９は、仕分け単位（に含まれる商品）の積込のためのトラックを識別するための情報である。入場時刻５１は、仕分け単位（に含まれる商品）の積込のためのトラックが入場して仕分け単位が積み込まれる時刻を示す情報である。出発時刻５２は、仕分け単位（に含まれる商品）の積込完了後に仕分け単位が運送される時刻を示す情報である。配送先５３は、仕分け単位（に含まれる商品）が運送される倉庫を示す情報であり、配送先識別情報３２（図７参照）に対応している。倉庫格納番地５４は、配送先５３の倉庫格納場所４３において、仕分け単位に含まれる商品が格納されるべき詳細な場所を示す情報である。
【００３６】
機種名４１を参照することにより、仕分け単位包装７０ａ等に包装された仕分け単位に含まれる商品の機種名が分かる。台数４２を参照することにより、仕分け単位包装７０ａ等に包装された仕分け単位に含まれる商品の数が分かる。受け入れ場所４４を参照することにより、商品の生産完了後に、仕分け単位包装７０ａ等に包装された仕分け単位に含まれるべき商品が、どこに受け入れられたかが分かる。仕分けレーン４５を参照することにより、商品の受け入れ後、仕分け単位包装７０ａ等に包装された仕分け単位に含まれるべき商品が、どのレーンで仕分けされたかが分かる。荷揃場所４６を参照することにより、商品の仕分け後に、仕分け単位包装７０ａ等に包装された仕分け単位が、どこに置かれるべきなのかが分かる。積込バース４７を参照することにより、仕分け単位包装７０ａ等に包装された仕分け単位の積込のために、トラックがどこに停車すべきなのかが分かる。入場時刻５１を参照することにより、仕分け単位包装７０ａ等に包装された仕分け単位の積込のために、トラックがいつ積込バース４７に入場すべきかが分かる。号車番号４９を参照することにより、仕分け単位包装７０ａ等に包装された仕分け単位の積込のために、どのトラックが積込バース４７に入場すべきかが分かる。積込品置場４８を参照することにより、仕分け単位包装７０ａ等に包装された仕分け単位の積込のために、仕分け単位がどこに置かれるべきかが分かる。出発時刻５２を参照することにより、仕分け単位包装７０ａ等に包装された仕分け単位の積込完了後に、トラックがいつ出発すべきかが分かる。配送先５３を参照することにより、仕分け単位包装７０ａ等に包装された仕分け単位を、トラックがどこに運送すべきかが分かる。倉庫格納場所４３を参照することにより、仕分け単位包装７０ａ等に包装された仕分け単位に含まれる商品が、運送後にどこに格納されるべきかが分かる。倉庫格納番地５４を参照することにより、仕分け単位包装７０ａ等に包装された仕分け単位に含まれる商品が、運送後にどこに格納されるべきかが詳細に分かる。
【００３７】
他の荷役作業指示書４０ｂ，・・・も、荷役作業指示書４０ａと同様である。
＜物流支援システム１が複数の商品の物流を支援する処理の流れ＞
図１に示す物流支援システム１が複数の商品の物流を支援する処理の流れを、図３に示すフローチャートを用いて説明する。
図３に示すステップＳ１では、生産情報が入力される。すなわち、図２に示す物流支援装置１０の第１入力部１１に、複数の商品の生産計画に基づいて、生産情報が入力される。ここで、生産情報は、各商品の生産に関する情報である。生産情報が、機種名及び生産台数に関する情報である。第１記憶部１７により、生産情報が制御部１６経由で第１入力部１１から受け取られる。第１記憶部１７により、生産情報が記憶される。
【００３８】
図３に示すステップＳ２では、仕分け情報が入力される。すなわち、図２に示す物流支援装置１０の第２入力部１２に、複数の商品の生産計画に基づいて、仕分け情報が入力される。ここで、仕分け情報は、各商品の仕分けに関する情報である。仕分け情報が、仕分けの単位となる台数、生産された商品の受け入れ場所、仕分け経路及び仕分け先の場所に関する情報である。第２記憶部１８により、仕分け情報が制御部１６経由で第２入力部１２から受け取られる。第２記憶部１８により、仕分け情報が記憶される。
【００３９】
図３に示すステップＳ３では、配送情報が入力される。すなわち、図２に示す物流支援装置１０の第３入力部１３に、複数の商品の生産計画に基づいて、配送情報が入力される。ここで、配送情報は、各商品の配送に関する情報である。配送情報が、トラックが待機する場所、トラックが待機を開始する時刻、トラックを識別するための情報、トラックに商品を積み込むための場所、トラックに商品が積み込まれる時刻、トラックにより商品が輸送される時刻、配送先を識別するための情報及び配送先において商品が保管される場所に関する情報である。第３記憶部１９により、配送情報が制御部１６経由で第３入力部１３から受け取られる。第３記憶部１９により、配送情報が記憶される。
【００４０】
図３に示すステップＳ４では、第２指示情報が出力される。すなわち、図２に示す物流支援装置１０の第２作成部１５により、生産情報が制御部１６経由で第１記憶部１７から受け取られ、仕分け情報が制御部１６経由で第２記憶部１８から受け取られ、配送情報が制御部１６経由で第３記憶部１９から受け取られる。第２作成部１５により、生産情報と仕分け情報と配送情報とに基づいて、第２指示情報が作成される。ここで、第２指示情報は、各商品の生産の指示に関する情報である。第２出力部２２により、第２指示情報が制御部１６経由で第２作成部１５から受け取られる。第２出力部２２により、生産指示書３０ａ等へ第２指示情報が出力される。生産指示書３０ａ等は、各商品に添付されるための部材である。
【００４１】
図３に示すステップＳ５では、第１指示情報が出力される。すなわち、図２に示す物流支援装置１０の第１作成部１４により、生産情報が制御部１６経由で第１記憶部１７から受け取られ、仕分け情報が制御部１６経由で第２記憶部１８から受け取られ、配送情報が制御部１６経由で第３記憶部１９から受け取られる。第１作成部１４により、生産情報と仕分け情報と配送情報とに基づいて、第１指示情報が作成される。ここで、第１指示情報は、各商品の仕分け及び配送の指示に関する情報である。第１出力部２１により、第１指示情報が制御部１６経由で第１作成部１４から受け取られる。第１出力部２１により、荷役作業指示書４０ａ等へ第１指示情報が出力される。荷役作業指示書４０ａ等は、仕分け単位に添付されるための部材である。仕分け単位は、各商品が仕分けされる単位である。
【００４２】
＜物流支援システム１が用いられた場合における複数の商品の物流＞
図１に示す物流支援システム１が用いられた場合における複数の商品の物流を、図４，図５に示すフローチャートを用いて説明する。図４，図５において、商品の流れを実線の矢印で示し、情報の流れを破線の矢印で示してある。
販売計画１０１では、商品の市場動向などに基づいて、販売計画が立てられる。
【００４３】
生産計画１０３では、販売計画に基づいて、生産計画が立てられる。
仕分け計画１０４では、生産計画に基づいて、仕分け計画が立てられる。
配送計画１０５では、生産計画に基づいて、配送計画が立てられる。
生産指示書出力１０７では、図３に示すステップＳ１〜Ｓ４が行われる。
荷役作業指示書出力１０８では、図３に示すステップＳ５が行われる。
【００４４】
投入１０９では、商品の生産に必要なものが生産ラインに投入される。
生産完了１１０では、商品の生産が完了する。生産完了後の商品が商品包装６０ａ等（図１参照）に包装される。
生産指示書貼付１１１では、生産指示書３０ａ等（図１参照）が商品包装６０ａ等（図１参照）に貼り付けられる。すなわち、生産指示書３０ａ等（図１参照）が商品に添付される。
【００４５】
荷役作業指示書貼付１１３では、荷役作業指示書４０ａ等（図１参照）が仕分け単位包装７０ａ等（図１参照）に貼り付けられる。すなわち、荷役作業指示書４０ａ等（図１参照）が仕分け単位に添付される。
仕分けレーン受入１１４では、生産指示書３０ａ等（図１参照）に表示された機種名３１及び倉庫格納場所３４（図７参照）と、荷役作業指示書４０ａ等（図１参照）に表示された機種名４１及び倉庫格納場所４３（図６参照）とに基づき、所定のレーンへ商品が受け入れられる。
【００４６】
機種別仕分け１１５では、荷役作業指示書４０ａ等（図１参照）に表示された受け入れ場所４４及び仕分けレーン４５（図６参照）に基づき、商品が機種別に仕分けられる。
トラック別仕分け１１６では、荷役作業指示書４０ａ等（図１参照）に表示された台数４２（図６参照）と受け入れ場所４４（図６参照）と仕分けレーン４５（図６参照）とに基づき、商品がトラック別に仕分けられる（図４に示す（１））。
【００４７】
トラック別荷揃え１１７（図４に示す（１））では、荷役作業指示書４０ａ等（図１参照）に表示された荷揃場所４６（図６参照）に基づき、仕分け単位が所定の場所に置かれる。
トラック積込１１８では、荷役作業指示書４０ａ等（図１参照）に表示された積込バース４７（図６参照）と入場時刻５１（図６参照）と号車番号４９（図６参照）と積込品置場４８（図６参照）と出発時刻５２（図６参照）とに基づき、仕分け単位がトラックに積み込まれる。
【００４８】
運送１１９では、荷役作業指示書４０ａ等（図１参照）に表示された配送先５３（図６参照）に基づき、仕分け単位がトラックにより運送される。
トラック荷降し１２０では、荷役作業指示書４０ａ等（図１参照）に表示された配送先５３（図６参照）に基づき、仕分け単位が所定の場所でトラックから降ろされる。
倉庫格納１２１では、荷役作業指示書４０ａ等（図１参照）に表示された配送先５３（図６参照）と倉庫格納場所４３（図６参照）と倉庫格納番地５４（図６参照）とに基づき、仕分け単位に含まれる商品が倉庫における所定の場所へ格納される。
【００４９】
＜物流支援システム１に関する特徴＞
（１）
ここでは、図２に示す物流支援装置の第１記憶部１７が、生産情報を記憶する。第２記憶部１８が、仕分け情報を記憶する。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。
【００５０】
したがって、生産情報と仕分け情報と配送情報とに基づいて第１指示情報を作成するので、生産情報と仕分け情報と配送情報とを商品に対して直接関連づけることが可能である。このため、仕分け及び配送の各工程における作業者の負担を低減することが可能である。この結果、物流における作業者の負担を低減することが可能である。
（２）
ここでは、図２に示す物流支援装置の第１記憶部１７が、生産情報を記憶する。第２記憶部１８が、仕分け情報を記憶する。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。第１出力部２１が、第１指示情報を制御部１６経由で第１作成部１４から受け取る。第１出力部２１が、荷役作業指示書４０ａ等へ第１指示情報を出力する。
【００５１】
したがって、荷役作業指示書４０ａ等へ第１指示情報を出力するので、荷役作業指示書４０ａ等を仕分け単位に添付することが可能である。このため、生産情報と仕分け情報と配送情報とがどの仕分け単位に対応しているかを作業者が容易に把握できるようにすることが可能である。
（３）
ここでは、図２に示す物流支援装置の第１入力部１１に、複数の商品の生産計画（図４の生産計画１０３参照）に基づいて、生産情報が入力される。第１記憶部１７が、生産情報を制御部１６経由で第１入力部１１から受け取る。第１記憶部１７が、生産情報を記憶する。第２記憶部１８が、仕分け情報を記憶する。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。
【００５２】
したがって、複数の商品の生産計画（図４の生産計画１０３参照）に基づいて生産情報が入力されるので、生産情報を介して生産計画を商品に対して関連づけることが可能である。このため、仕分け及び配送の各工程において作業者が生産計画と商品との照合を行う負担を低減することが可能である。
（４）
ここでは、図２に示す物流支援装置の第１記憶部１７が、生産情報を記憶する。第２入力部１２に、複数の商品の生産計画に基づいて、仕分け情報が入力される。ここで、仕分け情報は、各商品の仕分けに関する情報である。第２記憶部１８が、仕分け情報を制御部１６経由で第２入力部１２から受け取る。第２記憶部１８が、仕分け情報を記憶する。第３入力部１３に、複数の商品の生産計画に基づいて、配送情報が入力される。ここで、配送情報は、各商品の配送に関する情報である。第３記憶部１９が、配送情報を制御部１６経由で第３入力部１３から受け取る。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。第１出力部２１が、第１指示情報を制御部１６経由で第１作成部１４から受け取る。第１出力部２１が、荷役作業指示書４０ａ等へ第１指示情報を出力する。
【００５３】
したがって、複数の商品の生産計画に基づいて仕分け情報が入力され、複数の商品の生産計画に基づいて配送情報が入力されるので、生産が行われる前に荷役作業指示書４０ａ等へ第１指示情報を出力することが可能である。このため、生産から配送完了までの期間を短くすることが可能である。
（５）
ここでは、図２に示す物流支援装置の第１記憶部１７が、生産情報を記憶する。生産情報が、機種名及び生産台数に関する情報である。第２記憶部１８が、仕分け情報を記憶する。仕分け情報が、仕分けの単位となる台数、生産された商品の受け入れ場所、仕分け経路及び仕分け先の場所に関する情報である。第３記憶部１９が、配送情報を記憶する。配送情報が、トラックが待機する場所、トラックが待機を開始する時刻、トラックを識別するための情報、トラックに商品を積み込むための場所、トラックに商品が積み込まれる時刻、トラックにより商品が輸送される時刻、配送先を識別するための情報及び配送先において商品が保管される場所に関する情報である。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。
【００５４】
したがって、生産情報、仕分け情報及び配送情報を詳細な情報とすることが可能であるので、詳細な情報に基づいて第１指示情報を作成することが可能である。
（６）
ここでは、図２に示す物流支援装置の第１記憶部１７が、生産情報を記憶する。第２記憶部１８が、仕分け情報を記憶する。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。第１出力部２１が、第１指示情報を制御部１６経由で第１作成部１４から受け取る。第１出力部２１が、荷役作業指示書４０ａ等へ第１指示情報を出力する。第２作成部１５が、生産情報を制御部１６経由で第１記憶部１７から受け取り、仕分け情報を制御部１６経由で第２記憶部１８から受け取り、配送情報を制御部１６経由で第３記憶部１９から受け取る。第２作成部１５が、生産情報と仕分け情報と配送情報とに基づいて、第２指示情報を作成する。第２出力部２２が、第２指示情報を制御部１６経由で第２作成部１５から受け取る。第２出力部２２が、生産指示書３０ａ等へ第２指示情報を出力する。
【００５５】
したがって、生産指示書３０ａ等へ第２指示情報を出力するので、生産指示書３０ａ等を商品に添付することが可能である。このため、生産指示書３０ａ等において生産情報に対応した情報と荷役作業指示書４０ａ等において生産情報に対応した情報とを対比することが可能であるので、商品をどの仕分け単位にまとめるのかを作業者が容易に把握できるようにすることが可能である。
【００５６】
（７）
ここでは、図２に示す物流支援装置の第１記憶部１７が、生産情報を記憶する。第２記憶部１８が、仕分け情報を記憶する。第３記憶部１９が、配送情報を記憶する。第１作成部１４が、生産情報を制御部１６経由で第１記憶部１７から受け取り、仕分け情報を制御部１６経由で第２記憶部１８から受け取り、配送情報を制御部１６経由で第３記憶部１９から受け取る。第１作成部１４が、生産情報と仕分け情報と配送情報とに基づいて、第１指示情報を作成する。第１出力部２１が、第１指示情報を制御部１６経由で第１作成部１４から受け取る。第１出力部２１が、荷役作業指示書４０ａ等へ第１指示情報を出力する。荷役作業指示書４０ａ等が、ラベルである。第２作成部１５が、生産情報を制御部１６経由で第１記憶部１７から受け取り、仕分け情報を制御部１６経由で第２記憶部１８から受け取り、配送情報を制御部１６経由で第３記憶部１９から受け取る。第２作成部１５が、生産情報と仕分け情報と配送情報とに基づいて、第２指示情報を作成する。第２出力部２２が、第２指示情報を制御部１６経由で第２作成部１５から受け取る。第２出力部２２が、生産指示書３０ａ等へ第２指示情報を出力する。生産指示書３０ａ等が、ラベルである。
【００５７】
したがって、荷役作業指示書４０ａ等がラベルであり、生産指示書３０ａ等がラベルであるので、荷役作業指示書４０ａ等及び生産指示書３０ａ等を既存の技術を用いて構成することが可能である。
＜第１実施形態の変形例＞
（Ａ）荷役作業指示書４０ａ等は、ラベルである代わりに、電子タグであってもよい。生産指示書３０ａ等は、ラベルである代わりに、電子タグであってもよい。例えば、荷役作業指示書４０ａ等や生産指示書３０ａ等は、表示画面付きのＩＣタグであってもよい。あるいは、荷役作業指示書４０ａ等や生産指示書３０ａ等は、通常のＩＣタグであり、物流における各拠点に読みとり装置と表示画面が備えられていてもよい。さらに、その表画画面がフォークリフトの運転席に備えられており、フォークリフトで商品を運搬する際に運搬している商品の情報が閲覧できるようになっていてもよい。これにより、フォークリフトで商品を運搬する作業者が生産情報や仕分け情報や配送情報を確認する負担を低減することができる。また、この場合でも、荷役作業指示書４０ａ等と生産指示書３０ａ等とを既存の技術を用いて構成することができる。
【００５８】
（Ｂ）図２に示す第２作成部１５は、生産情報のみに基づいて、第２指示情報を作成してもよい。この場合でも、第２指示情報が出力される生産指示書３０ａ等において生産情報に対応した情報と、荷役作業指示書４０ａ等において生産情報に対応した情報とを対比することが可能であるので、商品をどの仕分け単位にまとめるのかを作業者が容易に把握できるようにすることが可能である。
【００５９】
（Ｃ）生産情報が、機種名、商品名及び生産台数の少なくとも１つに関する情報であってもよい。仕分け情報が、仕分けの単位となる台数、生産された商品の受け入れ場所、仕分け経路及び仕分け先の場所の少なくとも１つに関する情報であってもよい。配送情報が、トラックが待機する場所、トラックが待機を開始する時刻、トラックを識別するための情報、トラックに商品を積み込むための場所、トラックに商品が積み込まれる時刻、トラックにより商品が輸送される時刻、配送先を識別するための情報及び配送先において商品が保管される場所の少なくとも１つに関する情報であってもよい。
【００６０】
（Ｄ）図５に示す運送１１９において、配送先が倉庫である代わりに、倉庫、量販店、一般点、ユーザー及び輸出港の少なくとも１つであってもよい。また、運送を行うのは、トラックである代わりに、トラック、飛行機、列車及びその他の輸送機械の少なくとも１つであってもよい。
【産業上の利用可能性】
【００６１】
本発明にかかる物流支援システム及び物流支援方法は、物流における作業者の負担を低減することができるという効果を有し、物流支援システム及び物流支援方法等として有用である。
【図面の簡単な説明】
【００６２】
【図１】本発明の第１実施形態による物流支援システムの概念図。
【図２】本発明の第１実施形態による物流支援装置の構成図。
【図３】物流支援システムが複数の商品の物流を支援する処理の流れを示すフローチャート。
【図４】物流支援システムが用いられた場合における複数の商品の物流を示すフローチャート。
【図５】物流支援システムが用いられた場合における複数の商品の物流を示すフローチャート。
【図６】荷役作業指示書群の構成を示す概念図。
【図７】生産指示書群の構成を示す概念図。
【符号の説明】
【００６３】
１  物流支援システム
１０  物流支援装置
３０  生産指示書群
４０  荷役作業指示書群
６０  商品包装群
７０  仕分け単位包装群
【図１】
2006168935.tif 000003
【図２】
2006168935.tif 000004
【図３】
2006168935.tif 000005
【図４】
2006168935.tif 000006
【図５】
2006168935.tif 000007
【図６】
2006168935.tif 000008
【図７】
2006168935.tif 000009